(57)【要約】【課題】マッサージ用突起の摩耗の程度が視覚により容易に認識でき、交換時期が判るマッサージ用ブラシを提供する。【解決手段】複数のマッサージ用突起14を下面に植設したマッサージブラシであって、各マッサージ用突起14は、縦長棒状の芯部16と、この芯部16の周面を覆う被覆筒部18と、これら芯部16及び被覆筒部18との各先端を覆う摩擦用端部20とからなる。上記芯部16及び被覆筒部18の一方と摩擦用端部20とを、第１の色彩を有する材料で連続形成するとともに、芯部16及び被覆筒部18の他方を、第１の色彩と異なる第２の色彩を有する材料で形成している。【選択図】図１
2013048756.tif 000002
【特許請求の範囲】
【請求項１】
複数のマッサージ用突起(14)を下面に植設したマッサージブラシであって、
各マッサージ用突起(14)は、縦長棒状の芯部(16)と、この芯部(16)の周面を覆う被覆筒部(18)と、これら芯部(16)及び被覆筒部(18)との各先端を覆う摩擦用端部(20)とからなり、
芯部(16)及び被覆筒部(18)の一方と摩擦用端部(20)とを、第１の色彩を有する材料で連続形成するとともに、芯部(16)及び被覆筒部(18)の他方を、第１の色彩と異なる第２の色彩を有する材料で形成したことを特徴とする、マッサージ用ブラシ。
【請求項２】
下面に嵌合凹部(6)を有する把持具(2)と、
上記嵌合凹部(6)に嵌合させた基台(12)を有し、かつこの基台(12)から上記マッサージ用突起(14)を垂設してなるブラシ具(10)と、を具備し、
このブラシ具(10)は、第１基板(12a)から複数の上記芯部(16)を垂下する第１ブラシ部(10Ａ)と、上記第１基板(12a)に重ね合わせるとともに上記芯部(16)に対応する箇所に挿通孔(26)を形成した第２基板(12b)を有しかつ挿通孔(26)の周りから被覆筒部(18)を垂下してなる第２ブラシ部(10Ｂ)とを合体させてなり、
上記第１基板(12a)と第２基板(12b)とで基台(12)を形成させたことを特徴とする、請求項１記載のマッサージ用ブラシ。
【請求項３】
上記摩擦用端部(20)は、その中央部(20ａ)で芯部(16)に連続するとともに、外周部(20b)の上面を被覆筒部(18)の先端面(18a)に密着させており、摩擦用端部(20)及び芯部(16)を第１の色彩を有するエラストマーで、かつ被覆筒部(18)を、第２の色彩を有するエラストマーでそれぞれ形成したことを特徴とする、請求項１又は請求項２記載のマッサージ用ブラシ。
【請求項４】
上記摩擦用端部(20)は、その外周部(20b)で被覆筒部(18)に連続するとともに、中央部外周部(20b)の上面を芯部(16)の先端面(16a)に密着させており、摩擦用端部(20)及び芯部(16)を第１の色彩を有するエラストマーで、かつ被覆筒部(18)を、第２の色彩を有するエラストマーでそれぞれ形成したことを特徴とする、請求項１又は請求項２記載のマッサージ用ブラシ。
【発明の詳細な説明】
【技術分野】
【０００１】
本発明は、マッサージ用ブラシに関する。
【背景技術】
【０００２】
この種のマッサージ用ブラシとして、先端部をやや大径に形成したマッサージ用突起を基台の裏面から多数突設したものが知られている（特許文献１）。
【先行技術文献】
【特許文献】
【０００３】
【特許文献１】実開昭60−79425
【発明の概要】
【発明が解決しようとする課題】
【０００４】
上述のマッサージ用ブラシは、体表を強く擦るように用いるためにマッサージ用突起の先端部が摩耗していき、所定のマッサージ効果が得られない。そうなると新たなブラシと交換する必要があるが、従来の構成では、外観からはマッサージ用突起の先端部の摩耗の具合が判りにくいという不都合があった。
【０００５】
本発明の目的は、マッサージ用突起の摩耗の程度が視覚により容易に認識でき、交換時期が判るマッサージ用ブラシを提供することである。
【課題を解決するための手段】
【０００６】
第１の手段は、複数のマッサージ用突起14を下面に植設したマッサージブラシであって、
各マッサージ用突起14は、縦長棒状の芯部16と、この芯部16の周面を覆う被覆筒部18と、これら芯部16及び被覆筒部18との各先端を覆う摩擦用端部20とからなり、
芯部16及び被覆筒部18の一方と摩擦用端部20とを、第１の色彩を有する材料で連続形成するとともに、芯部16及び被覆筒部18の他方を、第１の色彩と異なる第２の色彩を有する材料で形成したことを特徴とする、マッサージ用ブラシ。
【０００７】
本手段は、異色の２種類の材料により形成されたマッサージ用突起14を有するマッサージ用ブラシであって、各マッサージ用突起14の先端の摩擦用端部20が摩耗することで異なる色彩の材料が現れるように構成したものと提案する。上記マッサージ用突起14は、棒状の芯部16と芯部16を囲む被覆筒部18とこれら芯部16及び被覆筒部18の各先端を覆う摩擦用端部20とを有し、この摩擦用端部20は、中央部20ａ上面で芯部16に連続させるか（図３（Ａ）参照）、或いは外周部20b上面で被覆筒部18に連続させる（図７参照）。マッサージ用突起14のうち摩擦用端部20及びこれと連続する部分は、第１の色彩を有する材料で、摩擦用端部20と連続しない部分は、第１の色彩と異なる第２の色彩を有する材料でそれぞれ形成する。未使用の状態ではマッサージ用突起14の先部には第１の色彩のみが見え、使用による摩擦用端部20の摩耗により第２の色彩を有する材料が現れる。
【０００８】
第２の手段は、第１の手段を有し、かつ
下面に嵌合凹部6を有する把持具2と、
上記嵌合凹部6に嵌合させた基台12を有し、かつこの基台12から上記マッサージ用突起14を垂設してなるブラシ具10と、を具備し、
このブラシ具10は、第１基板12aから複数の上記芯部16を垂下する第１ブラシ部10Ａと、上記第１基板12aに重ね合わせるとともに上記芯部16に対応する箇所に挿通孔26を形成した第２基板12bを有しかつ挿通孔26の周りから被覆筒部18を垂下してなる第２ブラシ部10Ｂとを合体させてなり、
上記第１基板12aと第２基板12bとで基台12を形成させた。
【０００９】
本手段は、図１に示す本発明のマッサージ用ブラシの基本構造を示す図である。このブラシは、マッサージ用突起14を有するブラシ具10と、このブラシ具10を嵌合するための嵌合凹部6を有する把持具2とで構成されている。これにより把持具2の性能・特性と関係なく、ブラシ具10をマッサージに適した柔軟な材料（エラストマーなど）で形成することができる。
【００１０】
第３の手段は、第１の手段又は第２の手段を有し、かつ
上記摩擦用端部20は、その中央部20ａで芯部16に連続するとともに、外周部20bの上面を被覆筒部18の先端面18aに密着させており、摩擦用端部20及び芯部16を第１の色彩を有するエラストマーで、かつ被覆筒部18を、第２の色彩を有するエラストマーでそれぞれ形成している。
【００１１】
本手段は、図３（Ａ）に示すように摩擦用端部20の外周部20bが被覆筒部18を覆う態様を示している。図３（Ｂ）→図４（Ｂ）→図５（Ｂ）のように摩擦用端部20の摩耗が進行するに伴い、第２の色彩を有する被覆筒部18の先端面18aの露出面積が徐々に露出するため、摩耗の進行状況を把握し易い。
【００１２】
第４の手段は、第１の手段又は第２の手段を有し、かつ
上記摩擦用端部20は、その外周部20bで被覆筒部18に連続するとともに、中央部外周部20bの上面を芯部16の先端面16aに密着させており、摩擦用端部20及び芯部16を第１の色彩を有するエラストマーで、かつ被覆筒部18を、第２の色彩を有するエラストマーでそれぞれ形成している。
【００１３】
本手段は、図７に示すように摩擦用端部20の外周部20bが被覆筒部18に連続するとともに、摩擦用端部20の中央部20aが芯部16を覆う態様を示している。この態様では、未使用の状態ではマッサージ用突起14全体が第１の色彩を呈し、摩擦用端部20の摩耗により第２の色彩が現れるので、その色が目立ち易い。
【発明の効果】
【００１４】
第１の手段に係る発明によれば、第１の色彩を有する材料で形成した摩擦用端部20の摩耗により、第１の色彩と異なる第２の色彩が現われ、商品の交換時期が判る。
第２の手段に係る発明によれば、ブラシ具10は把持具2とは別体であり、ブラシ作用に適した材料を選択して形成できる。
第３の手段に係る発明によれば、摩擦用端部20が第１の色彩を有し、かつ摩擦用端部20の外周部20bの上面を、第２の色彩を有する被覆筒部18の先端面18aに密着させたから、摩擦用端部20の摩耗に伴って第２の色彩の露出面積が増大することを視認でき、摩耗し尽くす前に交換用の商品を買い足すことができる。
第４の手段に係る発明によれば、マッサージ用突起14は、全体として第１の色彩を有する材料で覆われており、摩擦用端部20の摩耗によりはじめて第２の色彩が現われるから、その色が目立ち易い。
【図面の簡単な説明】
【００１５】
【図１】本発明の第１実施形態に係るマッサージ用ブラシの縦断面図である。
【図２】図１のマッサージ用ブラシの底面図である。
【図３】図１のマッサージ用ブラシのマッサージ用突起の拡大図であり、同図（Ａ）は縦断面図、同図（Ｂ）は底面図である。
【図４】図３のマッサージ用突起の摩擦用端部の摩耗がある程度進んだ状態を示す図であり、同図（Ａ）は縦断面図、同図（Ｂ）は底面図である。
【図５】図３のマッサージ用突起の摩擦用端部が摩耗し尽くした状態を示す図であり、同図（Ａ）は縦断面図、同図（Ｂ）は底面図である。
【図６】本発明の第２実施形態に係るマッサージ用ブラシの縦断面図である。
【図７】図６のマッサージ用ブラシのマッサージ用突起の縦断面図である。
【図８】図７のマッサージ用突起の摩擦用端部の摩耗が進行した状態を示す図であり、同図（Ａ）は縦断面図、同図（Ｂ）は底面図である。
【発明を実施するための最良の形態】
【００１６】
図１から図５は、本発明の第１の実施形態に係るマッサージ用ブラシを示している。このマッサージ用ブラシは、本実施形態では、図１に示す如く、別体である把持具２とブラシ具10とで形成されている。
【００１７】
把持具２は、水平盤状の本体４の裏面中央に嵌合凹部６を有している。本体４の上面にはハンドル（図示せず）を付設することができる。把持具２は、例えば合成樹脂材で形成することができる。
【００１８】
ブラシ具10は、基台12の裏面から多数のマッサージ用突起14を垂下してなる。このブラシ具10は、軟材質のエラストマー等で形成することが好適である。上記基台12は上記嵌合凹部６内に嵌合させる。基台12を嵌合凹部６に対して着脱自在に形成して、ブラシ具10のみを交換できるようにしてもよい。
【００１９】
上記マッサージ用突起14は、図１に示す如く、縦長棒状の芯部16と、この芯部16の外周面全体を覆う被覆筒部18と、芯部16及び被覆筒部18の各先端を覆う摩擦用端部20とで形成されている。
【００２０】
本実施形態では、摩擦用端部20は、図３（Ａ）の如く、その中央部20aで芯部16と連続するとともに、外周部20bの上面で被覆筒部18の先端面18aを覆っている。図示の摩擦用端部20は、略半球状であるが、その形状は適宜変更することができる。
【００２１】
図示のブラシ具10は、第１ブラシ部10Ａと第２ブラシ部10Ｂとからなり、インサート成形や２色成形などにより形成することができる。
【００２２】
上記第１ブラシ部10Ａは、水平な第１基板12aの適所から複数の上記芯部16を垂下するとともに、芯部16の先端に上記摩擦用端部20の中央部20ａを連結している。
【００２３】
上記第２ブラシ部10Ｂは、上記第１基板12aに重ね合わせた第２基板12bを有し、この第２基板12bのうち芯部16に対応する個所に、芯部16の横断面に対応する形状の挿通孔26を開口して、この挿通孔26の孔縁から被覆筒部18を垂下している。この被覆筒部18は上記芯部16の外周面に密接している。また図示例では、上記第２基板12bの周縁からは短い嵌合周壁28を起立し、この嵌合周壁28内に第１基板12aを嵌合させている。第１基板12aと第２基板12bとで図１に示す如く、前述の基台12を形成している。
【００２４】
第１ブラシ部10Ａ及び第２ブラシ部10Ｂは、マッサージ用突起14が適度のマッサージ作用を発揮するように、適当な強度を有する弾性材料、特にエラストマーで形成することが望ましい。第１ブラシ部10Ａは、摩擦用端部20が体表面に対してソフトな感触を生ずるように柔らかい素材に、そして第２ブラシ部10Ｂは相対的に硬い素材に形成してもよい。
【００２５】
ここで説明の便宜上、第１ブラシ部10Ａの素材の色彩を第１の色彩といい、また第２ブラシ部10Ｂの素材の色彩を第２の色彩というものとすると、これら両者は、十分に識別可能な程度に相違するものとする。これにより摩擦用端部20の摩耗の状況が容易に判るようにするためである。
【００２６】
本実施形態では、把持具２とブラシ具10とを別体として構成しているが、これは発明の必須条件ではなく、適宜変更できる。
【００２７】
上記構成によれば、未使用の状態において、図２に示すようにマッサージ用突起14の突出方向からみたときに、マッサージ用突起14の先部は、第１の色彩のみを呈する。マッサージ用ブラシを使用し始めると、半球状の摩擦用端部20は下面側から摩耗する。摩耗が進行すると、図４（Ｂ）に示すように第２の色彩を有する被覆筒部18の先端面18ａが徐々に露出する。被覆筒部18の先端面18ａが露出し始めると、体表面に対する触感が悪くなるので、マッサージ用ブラシ（又はブラシ具）を交換することが望ましい。図５（Ｂ）に示すように摩擦用端部20が摩耗し尽くされると、第２の色彩を有する上記先端面18ａが完全に露出する。
【００２８】
以下、本発明の他の実施形態を説明する。これらの説明において、第１の実施形態と同じ構成については、同一の符号を付することで説明を省略する。
【００２９】
図６から図８は、本発明の第２の実施形態に係るマッサージ用ブラシを示している。本実施形態では、摩擦用端部20が芯部16に代えて被覆筒部18に連続している。すなわち、図７に示すように摩擦用端部20の外周部20bが被覆筒部18に連続するとともに、摩擦用端部20の中央部20ａで芯部16の先端面16aを覆っている。図示の芯部16の先端面16aは略半球状に形成している。
【００３０】
本実施形態では、第２ブラシ部10Ｂは、摩擦用端部20が体表面に対してソフトな感触を生ずるように柔らかい素材に、そして第１ブラシ部10Ａは相対的に硬い素材に形成してもよい。
【００３１】
上記構成において、摩擦用端部20が摩耗すると、図８（Ａ）及び図８（Ｂ）に示す如く芯部16の先端面16aの一部が露出する。これにより、マッサージ用ブラシの交換時期が判る。
【００３２】
この実施形態では、未使用状態では、マッサージ用突起14全体から第２基板12bの下面に亘る範囲で第１の色彩を有しており、摩擦用端部20の摩耗により第２の色彩が露出したときに目立ち易い。
【符号の説明】
【００３３】
２…把持具  ４…本体  ６…嵌合凹部
10…ブラシ具  10Ａ…第１ブラシ部  10Ｂ…第２ブラシ部
12…基台  12a…第１基板  12b…第２基板
14…マッサージ用突起  16…芯部  16ａ…先端面
18…被覆筒部  18ａ…先端面
20…摩擦用端部  20ａ…中央部  20ｂ…外周部
26…挿通孔  28…嵌合周壁
【図１】
2013048756.tif 000003
【図２】
2013048756.tif 000004
【図３】
2013048756.tif 000005
【図４】
2013048756.tif 000006
【図５】
2013048756.tif 000007
【図６】
2013048756.tif 000008
【図７】
2013048756.tif 000009
【図８】
2013048756.tif 000010